(57)【要約】【課題】  ２段動作が可能であると共に、小型化が可能な押釦スイッチ及び押釦スイッチ用可動接点体を提供する。【解決手段】  第１のクリックばね５及び第２のクリックばね６の反転動作によって押圧操作時の２段動作を可能となし、第２のクリックばね６の片側に第１のクリックばね５を設け、第１のクリックばね５のばね性により第２のクリックばね６を傾動動作及び復帰動作可能に付勢し、第２のクリックばね６の一端を共通固定接点２と接触させ、押圧操作に伴って第２のクリックばね６が傾動して第１のクリックばね５を反転させて第１及び第２のクリックばね５、６と第１の個別固定接点３とを接触させて１段目のスイッチの切り換えを行い、更に押圧することにより第２のクリックばね６を反転させて第２のクリックばね６と第２の個別固定接点４とを接触させて２段目のスイッチの切り換えを行うようにした。【選択図】        図２
2006196308.tif 000002
【特許請求の範囲】
【請求項１】
共通固定接点及び第１と第２の個別固定接点が配設された基台と、この基台上に載置され、前記共通固定接点及び第１と第２の個別固定接点と接離する第１のクリックばね及びこの第１のクリックばねよりもばね力の大きな第２のクリックばねとを備え、前記第１のクリックばね及び前記第２のクリックばねの反転動作によって押圧操作時の２段動作が可能となし、前記第２のクリックばねの片側に前記第１のクリックばねを設け、前記第１のクリックばねのばね性により前記第２のクリックばねを傾動動作及び復帰動作可能に付勢し、前記第２のクリックばねの一端を前記共通固定接点と接触させ、押圧操作に伴って前記第２のクリックばねが傾動して前記第１のクリックばねを反転させて前記第１及び第２のクリックばねと前記第１の個別固定接点とを接触させて１段目のスイッチの切り換えを行い、更に押圧することにより前記第２のクリックばねを反転させて前記第２のクリックばねと前記第２の個別固定接点とを接触させて２段目のスイッチの切り換えを行うことを特徴とする押釦スイッチ。
【請求項２】
前記第１のクリックばねと、前記第２のクリックばねとを分離して別体で形成し、前記第１のクリックばねの上面に前記第２のクリックばねの前記共通固定接点と接触しない他端を重ねて電気的に接続した状態で載置し、前記第１のクリックばねに前記第１の個別固定接点と接触可能な接点部を設けたことを特徴とする請求項１記載の押釦スイッチ。
【請求項３】
前記第１のクリックばねと、前記第２のクリックばねとを連結部で接続して一体に形成し、前記連結部または前記第２のクリックばねの周縁部のどちらか一方に前記第１の個別固定接点と接触可能な接点部を設けたことを特徴とする請求項１記載の押釦スイッチ。
【請求項４】
前記第１のクリックばね及び前記第２のクリックばねは、板ばねをプレス加工して形成し、前記第１のクリックばねには、プレス加工時の変形を防止する逃げ孔を設けたことを特徴とする請求項３記載の押釦スイッチ。
【請求項５】
前記連結部は、前記第１及び第２のクリックばねの非動作時において、前記基台の前記共通固定接点及び前記第１の個別固定接点の配設位置よりも上方に位置するように上方に膨出して形成したことを特徴とする請求項３、又は４記載の押釦スイッチ。
【請求項６】
前記連結部は、前記第１及び第２のクリックばねの非動作時において、前記第２のクリックばねの周縁部が形成する平面と同じ平坦状に形成され、前記基台の前記第１の個別固定接点の配設位置を前記共通固定接点の配設位置よりも低く形成したことを特徴とする請求項３、又は４記載の押釦スイッチ。
【請求項７】
第１のクリックばね及びこの第１のクリックばねよりもばね力の大きな第２のクリックばねを備え、前記第１のクリックばね及び前記第２のクリックばねの反転動作によって押圧操作時の２段動作が可能な押釦スイッチ用可動接点体であって、請求項１乃至５の何れかに記載の第１及び第２のクリックばねを、可撓性を有する粘着シートの下面側に貼着し、この粘着シートと前記第１及び第２のクリックばねとを一体に剥離可能な剥離シートに積層させたことを特徴とする押釦スイッチ用可動接点体。
【請求項８】
前記粘着シートの下面には、前記第１のクリックばねの上面に非粘着部を形成し、前記第２のクリックばねの上面に粘着部を形成したことを特徴とする請求項７記載の押釦スイッチ用可動接点体。
【請求項９】
前記粘着シートに、前記第１及び第２のクリックばねと一緒に、１段動作用の押釦スイッチ用可動接点を貼着して混載したことを特徴とする請求項７、又は８記載の押釦スイッチ用可動接点体。
【発明の詳細な説明】
【技術分野】
【０００１】
本発明は、デジタルビデオやカメラ、携帯電話等の各種電子機器に使用され、押圧操作時に２段動作（ダブルアクション）が可能な押釦スイッチ及び押釦スイッチ用可動接点体に関する。
【背景技術】
【０００２】
従来の２段動作が可能な押釦スイッチの構造としては、円形の中央円板部と、この中央円板部の周囲に同心円上に配置されたリング状枠部とが、中央円板部の中心を通る直線上に形成された一対の連結片により一体に連結され、全体で湾曲する皿バネ状に形成された導電性タクト板（クリックばね）を用いた構成のものが知られている（例えば、特許文献１参照）。
【０００３】
この従来の導電性タクト板を用いた押釦スイッチの構造を図１６〜図１９に示す。図１６は従来の押釦スイッチに用いられる導電性タクト板の平面図、図１７は押釦スイッチの縦断面図、図１８は１段目動作状態を示す縦断面図、図１９は２段目動作状態を示す縦断面図である。
【０００４】
従来の押釦スイッチ１００に用いられる導電性タクト板１０１は、図１６ に示すように、円形の中央円板部１０２と、中央円板部１０２の周囲に同心円上に配置されるリング状枠部１０３とが、中央円板部１０２の中心を通る直線上に形成された一対の連結片１０４、１０４により一体に連結され、全体で、上方に湾曲する皿バネ状に形成されている。また、リング状枠部１０３の左右の円弧状片１０３ｂ、１０３ｃの中間には、上方に屈曲させた絞り部１０５が形成されている。
【０００５】
図１７に示すように、円弧状片１０３ｂ、１０３ｃの各中間は、接点収容凹部１０６内で導電性タクト板１０１全体を支持する支持部となり、一方の支持部は、接点収容凹部１０６に露出するコモン接点１０７上に載置され、コモン接点１０７と常時接触している。また、絶縁ハウジング１１１には、コモン端子と第１選択接点１０８を有する第１切換端子及び第２選択接点１０９を有する第２切換端子が相互に絶縁された状態で、インサート成形により一体に取り付けられている。
【０００６】
第１切換端子が二股状に分岐され、その先端に形成される第１選択接点１０８は、図１８、図１９に示すように、接点収容凹部１０６に収容される導電性タクト板１０１の各連結片１０４、１０４に対向する接点収容凹部１０６の内底面に露出し、また、第２選択接点１０９は、導電性タクト板１０１の中心に対向する接点収容凹部１０６の内底面に露出している。また、接点収容凹部１０６の上面は、カバー１１２により覆われている。
【０００７】
カバー１１２の挿通孔に、操作部１１０が挿通自在となっており、操作部１１０によって導電性タクト板１０１が押圧操作されていない状態では、導電性タクト板１０１は、皿バネ状に上方に湾曲しているので、コモン接点１０７のみに接触し、第１、第２選択接点１０８、１０９と、所定の間隙が隔てられている。
【０００８】
この状態から、操作部１１０で導電性タクト板１０１の中心を押圧操作すると、円弧状片１０３ｂ、１０３ｃに捻りモーメントが発生し、一定の捻り応力を越えると円弧状片１０３ｂ、１０３ｃは、図１８に示すように、下向きに反転する。この反転により、連結片１０４、１０４が下降し、対向部位に露出する第１選択接点１０８、１０８に接触し、導電性タクト板１０１を介して、コモン接点１０７と第１選択接点１０８が橋絡して、押釦スイッチ１００の第１スイッチ回路が閉じる。
【０００９】
更に、操作部１１０で導電性タクト板１０１の中心を押圧すると、連結片１０４、１０４から反力を受ける中央円板部１０２が、下向きに湾曲するように反転し、その中心が対向部位に露出する第２選択接点１０９に接触し、導電性タクト板１０１を介して、コモン接点１０７と第２選択接点１０９が橋絡し、押釦スイッチ１００の第２スイッチ回路が閉じる。
【００１０】
この従来の押釦スイッチ１００は、可動接点板として上方に湾曲形成した導電性タクト板１０１を用いるので、僅かな操作ストロークで２種類のスイッチ回路を閉じ操作することができ、しかも、各段階の操作において、円弧状片１０３ｂ、１０３ｃと中央円板部１０２が反転するので、その都度クリック感が操作者に伝わり操作感覚が得られるものである。
【００１１】
【特許文献１】特開２００２−３５２６６４号公報
【発明の開示】
【発明が解決しようとする課題】
【００１２】
しかしながら、上述した従来の押釦スイッチにおいては、２段動作が可能な導電性タクト板は、円形の中央円板部と、この中央円板部の周囲に同心円上に配置されたリング状枠部とが、中央円板部の中心を通る直線上に形成された一対の連結片により一体に連結され、全体で湾曲する皿バネ状に形成されているので、可動接点板の外形の大きさが大きくなり、押釦スイッチ全体の小型化を図るのが難しいという問題があった。
【００１３】
従って、本発明は上記した問題点を解決し、２段動作が可能であると共に、小型化が可能な押釦スイッチ及び押釦スイッチ用可動接点体を提供することを目的とする。
【課題を解決するための手段】
【００１４】
上記課題を解決するために本発明では第１の解決手段として、共通固定接点及び第１と第２の個別固定接点が配設された基台と、この基台上に載置され、前記共通固定接点及び第１と第２の個別固定接点と接離する第１のクリックばね及びこの第１のクリックばねよりもばね力の大きな第２のクリックばねとを備え、前記第１のクリックばね及び前記第２のクリックばねの反転動作によって押圧操作時の２段動作が可能となし、前記第２のクリックばねの片側に前記第１のクリックばねを設け、前記第１のクリックばねのばね性により前記第２のクリックばねを傾動動作及び復帰動作可能に付勢し、前記第２のクリックばねの一端を前記共通固定接点と接触させ、押圧操作に伴って前記第２のクリックばねが傾動して前記第１のクリックばねを反転させて前記第１及び第２のクリックばねと前記第１の個別固定接点とを接触させて１段目のスイッチの切り換えを行い、更に押圧することにより前記第２のクリックばねを反転させて前記第２のクリックばねと前記第２の個別固定接点とを接触させて２段目のスイッチの切り換えを行う構成とした。
【００１５】
また、第２の解決手段として、前記第１のクリックばねと、前記第２のクリックばねとを分離して別体で形成し、前記第１のクリックばねの上面に前記第２のクリックばねの前記共通固定接点と接触しない他端を重ねて電気的に接続した状態で載置し、前記第１のクリックばねに前記第１の個別固定接点と接触可能な接点部を設けた構成とした。
また、第３の解決手段として、前記第１のクリックばねと、前記第２のクリックばねとを連結部で接続して一体に形成し、前記連結部または前記第２のクリックばねの周縁部のどちらか一方に前記第１の個別固定接点と接触可能な接点部を設けた構成とした。
また、第４の解決手段として、前記第１のクリックばね及び前記第２のクリックばねは、板ばねをプレス加工して形成し、前記第１のクリックばねには、プレス加工時の変形を防止する逃げ孔を設けた構成とした。
また、第５の解決手段として、前記連結部は、前記第１及び第２のクリックばねの非動作時において、前記基台の前記共通固定接点及び前記第１の個別固定接点の配設位置よりも上方に位置するように上方に膨出して形成した構成とした。
また、第６の解決手段として、前記連結部は、前記第１及び第２のクリックばねの非動作時において、前記第２のクリックばねの周縁部が形成する平面と同じ平坦状に形成され、前記基台の前記第１の個別固定接点の配設位置を前記共通固定接点の配設位置よりも低く形成した構成とした。
【００１６】
また、第７の解決手段として、第１のクリックばね及びこの第１のクリックばねよりもばね力の大きな第２のクリックばねを備え、前記第１のクリックばね及び前記第２のクリックばねの反転動作によって押圧操作時の２段動作が可能な押釦スイッチ用可動接点体であって、第１乃至第５の解決手段の何れかに記載の第１及び第２のクリックばねを、可撓性を有する粘着シートの下面側に貼着し、この粘着シートと前記第１及び第２のクリックばねとを一体に剥離可能な剥離シートに積層させた構成とした。
また、第８の解決手段として、前記粘着シートの下面には、前記第１のクリックばねの上面に非粘着部を形成し、前記第２のクリックばねの上面に粘着部を形成した構成とした。
また、第９の解決手段として、前記粘着シートに、前記第１及び第２のクリックばねと一緒に、１段動作用の押釦スイッチ用可動接点を貼着して混載した構成とした。
【発明の効果】
【００１７】
上述したように、本発明の押釦スイッチは、共通固定接点及び第１と第２の個別固定接点が配設された基台と、基台上に載置され、共通固定接点及び第１と第２の個別固定接点と接離する第１のクリックばね及び第１のクリックばねよりもばね力の大きな第２のクリックばねとを備え、第１のクリックばね及び第２のクリックばねの反転動作によって押圧操作時の２段動作が可能となし、第２のクリックばねの片側に第１のクリックばねを設け、第１のクリックばねのばね性により第２のクリックばねを傾動動作及び復帰動作可能に付勢し、第２のクリックばねの一端を共通固定接点と接触させ、押圧操作に伴って第２のクリックばねが傾動して第１のクリックばねを反転させて第１及び第２のクリックばねと第１の個別固定接点とを接触させて１段目のスイッチの切り換えを行い、更に押圧することにより第２のクリックばねを反転させて第２のクリックばねと第２の個別固定接点とを接触させて２段目のスイッチの切り換えを行うことから、２段目のスイッチの切り換えを行う第２のクリックばねの片側に１段目のスイッチの切り換えを行う第１のクリックばねを設けたので、第２のクリックばねの周囲全体が第１のクリックばねで囲まれることがないため、押釦スイッチの小型化が可能となる。また、第２のクリックばねが一端を支点として傾動動作するので、３段クリックの発生が防止され第１の個別固定接点との安定した接触が得られる。
【００１８】
また、第１のクリックばねと、第２のクリックばねとを分離して別体で形成し、第１のクリックばねの上面に第２のクリックばねの共通固定接点と接触しない他端を重ねて電気的に接続した状態で載置し、第１のクリックばねに第１の個別固定接点と接触可能な接点部を設けたことから、第１のクリックばねと第２のクリックばねの特性を個々に適宜選択して形成できるので、クリックばねの製造が容易となり、種々のばね応力に対応したバラエティー対応が可能となる。
また、第１のクリックばねと、第２のクリックばねとを連結部で接続して一体に形成し、連結部または第２のクリックばねの周縁部のどちらか一方に第１の個別固定接点と接触可能な接点部を設けたことから、第１のクリックばねと第２のクリックばねとを一体に取り扱えるので、作業性が良好でスイッチの組立てが容易となる。
また、第１のクリックばね及び第２のクリックばねは、板ばねをプレス加工して形成し、第１のクリックばねには、プレス加工時の変形を防止する逃げ孔を設けたことから、絞りを大きくして第２のクリックばねのばね力を大きくする場合においても、逃げ孔を設けることにより第１のクリックばねの変形を防止できる。
また、連結部は、第１及び第２のクリックばねの非動作時において、基台の共通固定接点及び第１の個別固定接点の配設位置よりも上方に位置するように上方に膨出して形成したことから、連結部または第２のクリックばねの周縁部に設けられた接点部を第１の個別固定接点から離間して配置することができるので、プリント基板等のように表面に各固定接点を設けて各固定接点間の段差を設けにくいスイッチ基板にも適用できる。
また、連結部は、第１及び第２のクリックばねの非動作時において、第２のクリックばねの周縁部が形成する平面と同じ平坦状に形成され、基台の第１の個別固定接点の配設位置を共通固定接点の配設位置よりも低く形成したことから、基台の各固定接点の形成位置に段差を設けることにより、連結部または第２のクリックばねの周縁部に設けられた接点部を第１の個別固定接点から離間して配置することができるので、より第１の個別固定接点との接触を安定させることができる。
【００１９】
また、本発明の押釦スイッチ用可動接点体は、第１のクリックばね及び第１のクリックばねよりもばね力の大きな第２のクリックばねを備え、第１のクリックばね及び第２のクリックばねの反転動作によって押圧操作時の２段動作が可能な押釦スイッチ用可動接点体であって、第１乃至第５の解決手段の何れかに記載の第１及び第２のクリックばねを、可撓性を有する粘着シートの下面側に貼着し、粘着シートと第１及び第２のクリックばねとを一体に剥離可能な剥離シートに積層させたことから、可動接点体の搬送時やスイッチの組立時に、接点部にゴミや異物などが付着するのを防止できると共に、組立時には可動接点体の剥離シートを剥がして固定接点が配設された基台上に積層するだけでいいので、作業性が容易となる。
また、粘着シートの下面には、第１のクリックばねの上面に非粘着部を形成し、第２のクリックばねの上面に粘着部を形成したことから、第１のクリックばねの反転を阻害することがなく、明瞭なクリック感が得られる。
また、粘着シートに、第１及び第２のクリックばねと一緒に、１段動作用の押釦スイッチ用可動接点を貼着して混載したことから、２段動作用スイッチと１段動作用スイッチを混載した多キー押釦スイッチの組立てを容易に行え、種々のバラエティーに対応した押釦スイッチが得られる。
【発明を実施するための最良の形態】
【００２０】
以下、本発明の実施の形態を図１乃至図１５に示す。図１は本発明の押釦スイッチに用いられるクリックばねの平面図、図２は本発明の押釦スイッチの要部断面図、図３は本発明の押釦スイッチの１段目動作状態を示す要部断面図、図４は本発明の押釦スイッチの２段目動作状態を示す要部断面図、図５は本発明の押釦スイッチに用いられるクリックばねの他の実施例を示す平面図、図６は押釦スイッチの他の実施例を示す要部断面図、図７は同じく押釦スイッチの１段目動作状態を示す要部断面図、図８は同じく押釦スイッチの２段目動作状態を示す要部断面図、図９は本発明の押釦スイッチに用いられるクリックばねの更に他の実施例を示す平面図、図１０は押釦スイッチの更に他の実施例を示す要部断面図、図１１は同じく押釦スイッチの１段目動作状態を示す要部断面図、図１２は同じく押釦スイッチの２段目動作状態を示す要部断面図、図１３は本発明のクリックばねを粘着シートに貼着した可動接点体を示す平面図、図１４は本発明の可動接点体を用いた押釦スイッチを示す断面図、図１５は粘着シートに本発明の２段動作用クリックばねと１段動作用の押釦スイッチ用可動接点とを混載した多キー押釦スイッチを示す平面図である。
【００２１】
図１及び図２において、本発明の押釦スイッチは、導電性の金属板からなる共通固定接点２及び第１と第２の個別固定接点３、４が平坦状の表面にそれぞれ対向して配設された絶縁性の樹脂積層板等からなる基台１と、この基台１上に載置され、前記共通固定接点２及び第１と第２の個別固定接点３、４と接離する第１のクリックばね５、及びこの第１のクリックばね５よりもばね力の大きな第２のクリックばね６とからなる可動接点ばね７とを備えている。
【００２２】
前記可動接点ばね７は、弾性を有する導電性の金属薄板からなり、中央に反転可能なドーム状の膨出部６ａを有する略円形状の第２のクリックばね６と、この第２のクリックばね６の片側に連結部５ｂで接続して一体に形成され、同じく反転可能な反転部５ａを有する略Ｕ字状の第１のクリックばね５とから形成されている。そして、この可動接点ばね７は、第１のクリックばね５及び第２のクリックばね６が反転動作することによって押圧操作時に２段動作が得られるものとなっている。
【００２３】
また、第１のクリックばね５と第２のクリックばね６との間には、一対の連結部５ｂを挟んだ中央位置に、細長状の逃げ孔５ｃが設けられている。この逃げ孔５ｃを設けることにより、第２のクリックばね６の膨出部６ａが比較的大きく絞り加工されたとしても、この絞り加工による第１のクリックばね５に及ぼす応力を抑え変形を防止することができる。また、この逃げ孔５ｃを設けることにより、第１のクリックばね５と第２のクリックばね６との間に（逃げ孔５ｃに臨むように）第２のクリックばね６の周縁部６ｂの一部を露出させている。
【００２４】
また、第１のクリックばね５の反転部５ａには、外周部から逃げ孔５ｃに至る山形に突き出された一対の屈曲部５ｄが設けられており、この屈曲部５ｄを設けることにより連結部５ｂに接続された反転部５ａを湾曲させている。そして、第２のクリックばね６が押圧された際には、連結部５ｂを介してこの屈曲部５ｄに応力が加わることにより湾曲部に反り力が作用し、第１のクリックばね５の反転部５ａが上方に反転するものとなっている。
【００２５】
可動接点ばね７は、基台１上に載置されるものとなり、この時、前記第２のクリックばね６の周縁部６ｂの一端（図２の左端）が、前記共通固定接点２と常時接触した状態で載置され、一方、第２のクリックばね６の周縁部６ｂの他端（図２の右端）または第１のクリックばね５の連結部５ｂの一部が、前記第１の個別固定接点３と一定の間隔を保持して対峙されている。この第１のクリックばね５の連結部５ｂまたは第２のクリックばね６の周縁部６ｂのどちらか一方が第１の個別固定接点３と接触可能な接点部を構成している。
【００２６】
また、第２のクリックばね６の膨出部６ａの頂部下面が、第２の個別固定接点４と一定の間隔を保持して対峙されている。また、第２のクリックばね６の膨出部６ａの頂部下面には、複数（例えば、本発明では３個）の突状のボッチからなる接点部６ｃが形成されており、この接点部６ｃが第２の個別固定接点４と接触可能な接点部を構成している。
【００２７】
この時、前記可動接点ばね７は、第１のクリックばね５のばね性によって連結部５ｂを介して第２のクリックばね６の周縁部６ｂの他端（図２の右端）が上方に付勢されており、第２のクリックばね６の周縁部６ｂの一端（図２の左端）を支点として傾動動作及び復帰動作可能に配設されている。また、この場合、第１のクリックばね５の反転部５ａの外周部の一端（図２の右端）が基台１の上面に当接した状態となっている。すなわち、第１のクリックばね５の連結部５ｂは、第１及び第２のクリックばね５、６の非動作時においては、基台１上の共通固定接点２、及び第１の個別固定接点３の配設位置よりも上方に位置するように上方に膨出して形成されている。
【００２８】
上記構成の可動接点ばね７を用いた押釦スイッチの動作を、図３及び図４を用いて説明する。
非動作時においては、図２に示すように、可動接点ばね７は第２のクリックばね６の周縁部６ｂの一端（図２の左端）が共通固定接点２と接触しているが、第１及び第２のクリックばね５、６の各接点部は第１及び第２の個別固定接点３、４とは離間しており、スイッチはオフ状態となっている。
【００２９】
次に、図３に示すように、図示しない電子機器等の操作部材により第２のクリックばね６の膨出部６ａ頂部上面が押圧されると、第２のクリックばね６が周縁部６ｂの一端（図３の左端）を支点として傾動され、これにより第１のクリックばね５の連結部５ｂを介して屈曲部５ｄに応力が加わることにより反転部５ａの湾曲部に反り力が作用し、第１のクリックばね５の反転部５ａが上方に反転する。この反転により第１のクリックばね５の連結部５ｂ及び第２のクリックばね６の周縁部６ｂの他端（図３の右端）が下方へ移動し、第１のクリックばね５の連結部５ｂまたは第２のクリックばね６の周縁部６ｂの他端のどちらか一方が第１の個別固定接点３と接触して１段目のスイッチがオン状態となる。
【００３０】
この状態から、図４に示すように、図示しない操作部材を更に押圧すると、１段目のスイッチがオンした状態のまま、今度は第２のクリックばね６の膨出部６ａが反転し頂部下面に設けられた接点部６ｃが第２の個別固定接点４と接触して２段目のスイッチがオン状態となる。
【００３１】
このように、本発明の押釦スイッチは、第１のクリックばね５及びこの第１のクリックばね５よりもばね力の大きな第２のクリックばね６とを備え、押圧操作に伴って第２のクリックばね６が傾動して第１のクリックばね５を反転させて第１及び第２のクリックばね５、６と第１の個別固定接点３とを接触させて１段目のスイッチの切り換えを行い、更に押圧することにより第２のクリックばね６を反転させて第２のクリックばね６と第２の個別固定接点４とを接触させて２段目のスイッチの切り換えを行うことにより、押圧操作時の２段動作が可能となっている。
【００３２】
また、第１のクリックばね５と、第２のクリックばね６とを連結部５ｂで接続して一体に形成し、連結部５ｂまたは第２のクリックばね６の周縁部６ｂのどちらか一方に第１の個別固定接点３と接触可能な接点部を設けたことから、第１のクリックばね５と第２のクリックばね６とを一体に取り扱えるので、作業性が良好でスイッチの組立てが容易となっている。
【００３３】
また、連結部５ｂは、第１及び第２のクリックばね５、６の非動作時において、基台１の共通固定接点２及び第１の個別固定接点３の配設位置よりも上方に位置するように上方に膨出して形成したことから、連結部５ｂまたは第２のクリックばね６の周縁部６ｂに設けられた接点部を、第１の個別固定接点３から離間して配置することができるので、平坦状のプリント基板等のように表面に各固定接点を設けて各固定接点間の段差を設けにくいスイッチ基板にも容易に適用することができる。
【００３４】
尚、上記実施例では、第２のクリックばね６の押圧により、第１のクリックばね５が反転する際、連結部５ｂを介して屈曲部５ｄに応力が加わることにより湾曲部に反り力が作用し、第１のクリックばね５の反転部５ａが上方に反転することにより連結部５ｂが下方へ移動するように形成したが、これに限らず、図示はしないが、連結部５ｂと屈曲部５ｄの先端側にハウジング等の係止部に当接するストッパー部を設け、このストッパー部を係止部に係止した状態で可動接点ばね７を各固定接点上に配設し、反転部５ａが上方に反る時のストッパー部に作用する反力により連結部５ｂを下方へ反転移動させるようにしても良い。
【００３５】
図５乃至図８は、本発明の押釦スイッチの他の実施例を示している。
この場合、上記実施例とは、可動接点ばねの構成が一部相違している。すなわち、本実施例の可動接点ばね１７は、それぞれ分離して別体で形成された第１のクリックばね１５と第２のクリックばね１６とから形成されている。また、基台１１には、第２のクリックばね１６の周縁部１６ｂと常時接触する共通固定接点１２ａの他に、第１のクリックばね１５の周縁部１５ｂと常時接触する共通固定接点１２ｂが別途設けられている。
【００３６】
図５、図６に示すように、第１のクリックばね１５は、弾性を有する導電性の金属薄板からなり、中央に反転可能なドーム状の膨出部１５ａを有する円形状に形成され、第２のクリックばね１６は、同じく弾性を有する導電性の金属薄板からなり、中央に反転可能なドーム状の膨出部１６ａを有する円形状に形成されており、第１のクリックばね１５に比較して第２のクリックばね１６は大径でばね力が大きくなるように形成されている。
【００３７】
図６に示すように、第１のクリックばね１５は周縁部１５ｂの一端（図６左端）が基台１１の共通固定接点１２ｂに接触して載置され、膨出部１５ａの頂部下面に設けられた接点部１５ｃ（複数の突状のボッチ）が第１の個別固定接点１３と一定の間隔を保持して対峙されている。また、第２のクリックばね１６は周縁部１６ｂの一端（図６左端）が基台１１の共通固定接点１２ａに接触して載置され、対向する周縁部１６ｂの他端（図６右端）が第１のクリックばね１５の膨出部１５ａ上面に重ねて電気的に接続した状態で載置されており、さらに、膨出部１６ａの頂部下面に設けられた接点部１６ｃ（複数の突状のボッチ）が第２の個別固定接点１４と一定の間隔を保持して対峙されている。
【００３８】
上記構成の可動接点ばね１７を用いた押釦スイッチの動作を、図７及び図８を用いて説明する。
非動作時においては、図６に示すように、可動接点ばね１７は第１のクリックばね１５の周縁部１５ｂの一端（図６の左端）が共通固定接点１２ｂと接触し、また、第２のクリックばね１６の周縁部１６ｂの一端（図６の左端）が共通固定接点１２ａと接触しているが、第１及び第２のクリックばね１５、１６の各接点部１５ｃ、１６ｃは第１及び第２の個別固定接点１３、１４とは離間しており、スイッチはオフ状態となっている。
【００３９】
次に、図７に示すように、図示しない電子機器等の操作部材により第２のクリックばね１６の膨出部１６ａ頂部上面が押圧されると、第２のクリックばね１６が周縁部１６ｂの一端（図７の左端）を支点として傾動され、これにより第２のクリックばね１６の周縁部１６ｂの他端（図７の右端）を介して第１のクリックばね１５の膨出部１５ａの上面に押圧力が加わることにより、第１のクリックばね１５が下方に反転する。この反転により第１のクリックばね１５の接点部１５ｃが下方へ移動し、この接点部１５ｃが第１の個別固定接点１３と接触して１段目のスイッチがオン状態となる。
【００４０】
この状態から、図８に示すように、図示しない操作部材を更に押圧すると、１段目のスイッチがオンした状態のまま、今度は第２のクリックばね１６の膨出部１６ａが反転し頂部下面に設けられた接点部１６ｃが第２の個別固定接点１４と接触して２段目のスイッチがオン状態となる。
【００４１】
このように、本発明の押釦スイッチは、第１のクリックばね１５及びこの第１のクリックばね１５よりもばね力の大きな第２のクリックばね１６とを備え、押圧操作に伴って第２のクリックばね１６が傾動して第１のクリックばね１５を反転させて第１のクリックばね１５と第１の個別固定接点１３とを接触させて１段目のスイッチの切り換えを行い、更に押圧することにより第２のクリックばね１６を反転させて第２のクリックばね１６と第２の個別固定接点１４とを接触させて２段目のスイッチの切り換えを行うことにより、押圧操作時の２段動作が可能となっている。
【００４２】
また、第１のクリックばね１５と、第２のクリックばね１６とを分離して別体で形成し、第１のクリックばね１５の上面に第２のクリックばね１６の共通固定接点１２と接触しない他端を重ねて電気的に接続した状態で載置し、第１のクリックばね１５に第１の個別固定接点１３と接触可能な接点部１５ｃを設けたことから、第１のクリックばね１５と第２のクリックばね１６の特性を個々に適宜選択して形成できるので、クリックばねの製造が容易となり、種々のばね応力に対応したバラエティー対応が可能となっている。
【００４３】
図９乃至図１２は、本発明の押釦スイッチの更に他の実施例を示している。
この場合、可動接点ばねが搭載される基台の構成が一部相違している。すなわち、本実施例の基台２１は、合成樹脂等の絶縁材で上面開口のハウジング状に形成されており、内底面が段差を有する２段状に形成され、外側に設けられた共通固定接点２２の配設位置である第１底面２１ａに対して、内側に設けられた第１及び第２の個別固定接点２３、２４の配設位置である第２底面２１ｂの方が１段低く形成されている。すなわち、共通固定接点２２の接触面と第１及び第２の個別固定接点２３、２４の接触面との間には、一定の段差が形成されたものとなっている。
【００４４】
また、図１０に示すように可動接点ばね２７は、第１のクリックばね２５と第２のクリックばね２６との間に設けられた連結部２５ｂの位置が、第１及び第２のクリックばね２５、２６の非動作時において、第２のクリックばね２６の周縁部２６ｂが形成する平面と同じ平坦状に形成されている。
【００４５】
図１０に示すように、可動接点ばね２７は、前記第２のクリックばね２６の周縁部２６ｂの一端（図１０の左端）が、前記第１底面２１ａの共通固定接点２２と常時接触した状態で載置され、前記第１のクリックばね２５の反転部２５ａの外周部の一端（図１０の右端）が第１底面２１ａの上面に当接した状態となっている。そして、第２のクリックばね２６の周縁部２６ｂの他端（図１０の右端）または第１のクリックばね２５の連結部２５ｂの一部が、前記第２底面２１ｂの第１の個別固定接点２３と一定の間隔を保持して対峙されている。また、第２のクリックばね２６の膨出部２６ａの頂部下面に設けられた接点部２６ｃ（複数の突状のボッチ）が、前記第２底面２１ｂの第２の個別固定接点２４と一定の間隔を保持して対峙されている。
【００４６】
この時、前記可動接点ばね２７は、第１のクリックばね２５及び第２のクリックばね２６のばね性によって連結部２５ｂを介して第２のクリックばね２６の周縁部２６ｂの他端（図１０の右端）及び連結部２５ｂが上方に付勢されている。すなわち、第２のクリックばね２６の周縁部２６ｂの他端及び第１のクリックばね２５の連結部２５ｂは、第１及び第２のクリックばね５、６の非動作時においては、前記第２底面２１ｂ上の第１の個別固定接点２３の配設位置よりも上方に位置するように形成されている。
【００４７】
上記構成の可動接点ばね２７を用いた押釦スイッチの動作を、図１１及び図１２を用いて説明する。
非動作時においては、図１０に示すように、可動接点ばね２７は第２のクリックばね２６の周縁部２６ｂの一端（図１０の左端）が共通固定接点２２と接触しているが、第１及び第２のクリックばね２５、２６の各接点部（連結部２５ｂまたは周縁部２６ｂの他端、及び接点部２６ｃ）は第１及び第２の個別固定接点２３、２４とは離間しており、スイッチはオフ状態となっている。
【００４８】
次に、図１１に示すように、図示しない電子機器等の操作部材により第２のクリックばね２６の膨出部２６ａ頂部上面が押圧されると、第２のクリックばね２６が周縁部２６ｂの一端（図１１の左端）を支点として傾動され、これにより第１のクリックばね２５の連結部２５ｂを介して屈曲部２５ｄに応力が加わることにより反転部２５ａの湾曲部に反り力が作用し、第１のクリックばね２５の反転部２５ａが上方に反転する。この反転により第１のクリックばね２５の連結部２５ｂ及び第２のクリックばね２６の周縁部２６ｂの他端（図１１の右端）が下方へ移動し、第１のクリックばね２５の連結部２５ｂまたは第２のクリックばね２６の周縁部２６ｂの他端のどちらか一方が第１の個別固定接点２３と接触して１段目のスイッチがオン状態となる。
【００４９】
この状態から、図１２に示すように、図示しない操作部材を更に押圧すると、１段目のスイッチがオンした状態のまま、今度は第２のクリックばね２６の膨出部２６ａが反転し頂部下面に設けられた接点部２６ｃが第２の個別固定接点２４と接触して２段目のスイッチがオン状態となる。
【００５０】
このように、本発明の押釦スイッチは、第１のクリックばね２５及びこの第１のクリックばね２５よりもばね力の大きな第２のクリックばね２６とを備え、押圧操作に伴って第２のクリックばね２６が傾動して第１のクリックばね２５を反転させて第１及び第２のクリックばね２５、２６と第１の個別固定接点２３とを接触させて１段目のスイッチの切り換えを行い、更に押圧することにより第２のクリックばね２６を反転させて第２のクリックばね２６と第２の個別固定接点２４とを接触させて２段目のスイッチの切り換えを行うことにより、押圧操作時の２段動作が可能となっている。
【００５１】
また、連結部２５ｂは、第１及び第２のクリックばね２５、２６の非動作時において、第２のクリックばね２６の周縁部２６ｂが形成する平面と同じ平坦状に形成され、基台２１の第１の個別固定接点２３の配設位置を共通固定接点２２の配設位置よりも低く形成したことから、基台２１の各固定接点の形成位置に段差を設けることにより、連結部２５ｂまたは第２のクリックばね２６の周縁部２６ｂに設けられた接点部を第１の個別固定接点２３から離間して配置することができるので、より第１の個別固定接点２３との接触を安定させることができるものとなっている。
【００５２】
上記した本発明の実施例によれば、第１のクリックばね５、１５、２５、及び第２のクリックばね６、１６、２６のそれぞれの反転動作によって押圧操作時の２段動作を可能にすると共に、第２のクリックばね６、１６、２６の片側に第１のクリックばね５、１５、２５を設け、第１のクリックばね５、１５、２５のばね性により第２のクリックばね６、１６、２６を傾動動作及び復帰動作可能に付勢している。そして、第２のクリックばね６、１６、２６の一端を共通固定接点２、１２、２２と接触させ、押圧操作に伴って第２のクリックばね６、１６、２６が傾動して第１のクリックばね５、１５、１６を反転させて第１及び第２のクリックばね５、１５、２５及び６、１６、２６と第１の個別固定接点３、１３、２３とを接触させて１段目のスイッチの切り換えを行う。そして、更に押圧することにより第２のクリックばね６、１６、２６を反転させて第２のクリックばね６、１６、２６と第２の個別固定接点４、１４、２４とを接触させて２段目のスイッチの切り換えを行う。このように、２段目のスイッチの切り換えを行う第２のクリックばね６、１６、２６の片側に１段目のスイッチの切り換えを行う第１のクリックばね５、１５、２５を設けたので、第２のクリックばね６、１６、２６の周囲全体が第１のクリックばね５、１５、２５で囲まれることがないため、押釦スイッチの小型化が可能となる。また、第２のクリックばね６、１６、２６が一端を支点として傾動動作するので、３段クリックの発生が防止され第１の個別固定接点３、１３、２３との安定した接触が得られるものとなっている。
尚、前記実施例の説明では、第２のクリックばね６、１６、２６の一端を共通固定接点２、１２、２２で支持し常時接触したまま傾動動作させているが、必ずしも共通固定接点で支持させる必要はなく、基台やハウジングで直接支持するようにしても良い。また、摩耗粉の発生を抑制する受け部材で一端を支持させるようにしても良い。これらの場合は、第１または第２のクリックばねの上面に導電片を接触させて共通固定接点と導通させるようにすれば良い。
【００５３】
図１３及び図１４は、本発明のクリックばねを粘着シートに貼着した可動接点体、及びこのシート状の可動接点体を用いた押釦スイッチを示している。尚、図１乃至図４で説明した同一部品については同一符号を付してその説明を省略する。
粘着シート３１は、ポリエステル樹脂等の絶縁性のフィルム材からなり、可撓性を有するシート状に形成されている。この粘着シート３１の下面には、部分的に接着剤３２が塗布されており、この接着剤３２により粘着シート３１の下面側に第１及び第２のクリックばね５、６からなる可動接点ばね７が貼着されている。
【００５４】
この場合、粘着シート３１の下面には、第１のクリックばね５の上面側に対応して非粘着部（接着剤３２の未塗布部）が形成され、第２のクリックばね６の上面側に対応して粘着部（接着剤３２の塗布部）が形成されており、可動接点ばね７は第２のクリックばね６の上面側の部分でのみ粘着シート３１に貼着されたものとなっている。このように、粘着シート３１の下面には、第１のクリックばね５の上面に非粘着部を形成し、第２のクリックばね６の上面に粘着部を形成したことから、第１のクリックばね５の反転を阻害することがなく、明瞭なクリック感が得られるものとなっている。
【００５５】
また、粘着シート３１の下面には、同じくポリエステル樹脂等の絶縁性のフィルム材からなり、可動接点ばね７が収容される収容孔３３ａを有するスペーサシート３３が貼着されている。そして、このスペーサーシート３３を含む粘着シート３１と第１及び第２のクリックばね５、６からなる可動接点ばね７とを一体に、搬送時及び組立て時等に可動接点ばね７にゴミや異物等が付着するのを防止する保護シートの役目を持つ剥離可能な剥離シート（図示せず）上に積層させることによりシート状の可動接点体が構成されている。
【００５６】
図１４は、本発明のシート状の可動接点体を用いた押釦スイッチを示しており、共通固定接点２と、第１及び第２の個別固定接点３、４が配設された基台１上に、剥離シートを剥離した後、シート状の可動接点体がスペーサーシート３３の下面に塗布された接着剤３４によって貼着され積層されている。
尚、本発明の押釦スイッチの動作については、図１乃至図４に示した押釦スイッチの構成で説明した内容と同様のためここではその説明は省略する。
【００５７】
このように、本発明の押釦スイッチ用可動接点体は、第１のクリックばね５及び第２のクリックばね６の反転動作によって押圧操作時の２段動作が可能であって、第１及び第２のクリックばね５、６を、可撓性を有する粘着シート３１の下面側に貼着し、粘着シート３１と第１及び第２のクリックばね５、６とを一体に剥離可能な剥離シートに積層させたことから、可動接点体の搬送時やスイッチの組立時に、接点部にゴミや異物などが付着するのを防止できると共に、組立時には可動接点体の剥離シートを剥がして各固定接点２、３、４が配設された基台１上に積層するだけでいいので、作業性が容易となっている。
【００５８】
図１５は、上述した本発明の２段動作用の第１及び第２のクリックばね５、６からなる可動接点ばね７と、１段動作用の可動接点ばね４７とを、可撓性を有する共通の粘着シート４１に粘着して混載した状態の多キー押釦スイッチの構成を示している。
【００５９】
この場合、可動接点ばね４７は、同じく弾性を有する導電性の金属薄板からなり、中央に反転可能なドーム状の膨出部を有する１枚の円形状のクリックばねで形成されている、また、粘着シート４１は、同じくポリエステル樹脂等の絶縁性のフィルム材からなり、下面側には、２段動作用の可動接点ばね７、及び１段動作用の可動接点ばね４７が収容される収容孔４３ａ、４３ｂを有するスペーサシート４３が貼着されている。
【００６０】
そして、このスペーサーシート４３を含む粘着シート４１と第１及び第２のクリックばね５、６からなる可動接点ばね７、及び可動接点ばね４７とを一体に、剥離可能な剥離シート（図示せず）上に積層させることによりシート状の可動接点体が構成されている。１段動作用の可動接点ばね４７の動作としては、中央のドーム状の膨出部の頂部上面が押圧された際に、膨出部が反転動作を行い、頂部下方に設けられた接点部が図示しない基台等に配設された各固定接点と接触してスイッチがオンするものとなっている。
【００６１】
このように、本発明の実施例においては、粘着シート４１に、２段動作用の第１及び第２のクリックばね５、６からなる可動接点ばね７と一緒に、１段動作用の押釦スイッチ用可動接点４７を貼着して混載したことから、２段動作用スイッチと１段動作用スイッチを混載した多キー押釦スイッチの組立てを容易に行え、種々のバラエティーに対応した押釦スイッチが得られるものとなっている。
【図面の簡単な説明】
【００６２】
【図１】本発明の押釦スイッチに用いられるクリックばねを示す平面図である。
【図２】本発明の押釦スイッチを示す要部断面図である。
【図３】本発明の押釦スイッチの１段目動作状態を示す要部断面図である。
【図４】本発明の押釦スイッチの２段目動作状態を示す要部断面図である。
【図５】本発明の押釦スイッチに用いられるクリックばねの他の実施例を示す平面図である。
【図６】本発明の押釦スイッチの他の実施例を示す要部断面図である。
【図７】本発明の押釦スイッチの他の実施例の１段目動作状態を示す要部断面図である。
【図８】本発明の押釦スイッチの他の実施例の２段目動作状態を示す要部断面図である。
【図９】本発明の押釦スイッチに用いられるクリックばねの更に他の実施例を示す平面図である。
【図１０】本発明の押釦スイッチの更に他の実施例を示す要部断面図である。
【図１１】本発明の押釦スイッチの更に他の実施例の１段目動作状態を示す要部断面図である。
【図１２】本発明の押釦スイッチの更に他の実施例の２段目動作状態を示す要部断面図である。
【図１３】本発明のクリックばねを粘着シートに貼着した可動接点体を示す平面図である。
【図１４】本発明のシート状の可動接点体を用いた押釦スイッチを示す断面図である。
【図１５】本発明の２段動作用クリックばねと１段動作用の押釦スイッチ用可動接点とを粘着シートに混載した多キー押釦スイッチを示す平面図である。
【図１６】従来の押釦スイッチに用いられる導電性タクト板を示す平面図である。
【図１７】従来の押釦スイッチを示す縦断面図である。
【図１８】従来の押釦スイッチの１段目動作状態を示す縦断面図である。
【図１９】従来の押釦スイッチの２段目動作状態を示す縦断面図である。
【符号の説明】
【００６３】
１：基台
２：共通固定接点
３：第１の個別固定接点
４：第２の個別固定接点
５：第１のクリックばね
５ａ：反転部
５ｂ：連結部
５ｃ：逃げ孔
５ｄ：屈曲部
６：第２のクリックばね
６ａ：膨出部
６ｂ：周縁部
６ｃ：接点部
７：可動接点ばね
１１：基台
１２ａ：共通固定接点
１２ｂ：共通固定接点
１３：第１の個別固定接点
１４：第２の個別固定接点
１５：第１のクリックばね
１５ａ：膨出部
１５ｂ：周縁部
１５ｃ：接点部
１６：第２のクリックばね
１６ａ：膨出部
１６ｂ：周縁部
１６ｃ：接点部
１７：可動接点ばね
２１：基台
２１ａ：第１底面
２１ｂ：第２底面
２２：共通固定接点
２３：第１の個別固定接点
２４：第２の個別固定接点
２５：第１のクリックばね
２５ａ：反転部
２５ｂ：連結部
２５ｄ：屈曲部
２６：第２のクリックばね
２６ａ：膨出部
２６ｂ：周縁部
２６ｃ：接点部
２７：可動接点ばね
３１：粘着シート
３２：接着剤
３３：スペーサシート
３３ａ：収容孔
３４：接着剤
４１：粘着シート
４３：スペーサシート
４３ａ：収容孔
４３ｂ：収容孔
４７：可動接点ばね
【図１】
2006196308.tif 000003
【図２】
2006196308.tif 000004
【図３】
2006196308.tif 000005
【図４】
2006196308.tif 000006
【図５】
2006196308.tif 000007
【図６】
2006196308.tif 000008
【図７】
2006196308.tif 000009
【図８】
2006196308.tif 000010
【図９】
2006196308.tif 000011
【図１０】
2006196308.tif 000012
【図１１】
2006196308.tif 000013
【図１２】
2006196308.tif 000014
【図１３】
2006196308.tif 000015
【図１４】
2006196308.tif 000016
【図１５】
2006196308.tif 000017
【図１６】
2006196308.tif 000018
【図１７】
2006196308.tif 000019
【図１８】
2006196308.tif 000020
【図１９】
2006196308.tif 000021